(57)【要約】【課題】戸パネルＢの梱包材Ａについて、梱包の容易化、廃材量の低減、コストダウンを図る。【解決手段】戸パネルＢを幅方向左右側からそれぞれ覆う保護部材１Ｌ，１Ｒを設け、その各保護部材１Ｌ，１Ｒに予め裁断補助線５を形成しておき、その裁断補助線５で保護部材１Ｌ，１Ｒを上下に裁断して、残りの下側部分３，３を角部保護部材４Ｌ，４Ｒに兼用する。【選択図】図１
2009120220.tif 000002
【特許請求の範囲】
【請求項１】
戸パネルを幅方向左右両側からそれぞれ高さ方向の全体に亘るように覆う左右の保護部材からなり、
上記左右の保護部材の所定高さ位置には、該各保護部材を上下に分離可能な裁断補助線が形成されており、
上記裁断補助線に沿って各保護部材を上下に裁断して上側部分を除去することにより、下側部分がそれぞれ戸パネルの下端左右角部を保護する角部保護部材となるようにしたことを特徴とする戸パネルの梱包材。
【請求項２】
請求項１の戸パネルの梱包材において、
裁断補助線は、左右の保護部材を裁断して上側部分を除去した跡に戸パネルの金具取付部が露出する位置に設けられていることを特徴とする戸パネルの梱包材。
【請求項３】
請求項１又は２の戸パネルの梱包材において、
裁断補助線の端部に保護部材の裁断を助勢する裁断補助加工部が設けられていることを特徴とする戸パネルの梱包材。
【請求項４】
請求項１〜３のいずれか１つの戸パネルの梱包材において、
左右の保護部材は、少なくとも裁断補助線よりも下側部分でバンドにより戸パネルに固定されていることを特徴とする戸パネルの梱包材。
【発明の詳細な説明】
【技術分野】
【０００１】
本発明は、戸パネルを梱包するための梱包材に関するものである。
【背景技術】
【０００２】
従来より、開き戸等に用いる、この種戸パネルを梱包する方法として、戸パネルの幅方向左側を覆う左保護部材と、戸パネルの同右側を覆う右保護部材とにより梱包する方法が一般に知られている。
【０００３】
一方、開き戸等の施工時に、戸パネルの下端左右角部を保護する手段として、例えば特許文献１に示されるように、面保護部材、角当て部材及び縁保護部材からなり、少なくとも面保護部材と角当て部材とを取り付けたまま、開き戸を施工できる養生材兼用梱包材が知られている。
【特許文献１】特開２０００−１７７７８８号公報
【発明の開示】
【発明が解決しようとする課題】
【０００４】
しかし、上記従来の特許文献１に示される養生材兼用梱包材によれば、施工時に戸パネルの下端角部を保護できるものの、面保護部材、角当て部材及び縁保護部材というように梱包材の種類が多いため、梱包の手間がかかるとともに、施工後の廃材の量が多くなるのは避けられない。それだけでなく、さらに角当て部材等、別々に部材を用意する必要があるためにコストがかかるという問題があった。
【０００５】
本発明は斯かる点に鑑みてなされたものであり、その目的は、戸パネルの梱包材に工夫を凝らすことで、その梱包材による梱包を容易化し、廃材の量を少なくし、コストダウンを図ることにある。
【課題を解決するための手段】
【０００６】
上記の目的を達成するために、この発明では、戸パネルを幅方向左右側からそれぞれ覆う保護部材を設ける。そして、その各保護部材に予め裁断補助線を形成しておいて、その裁断補助線で保護部材を上下に裁断し上側部分を除去したときに、残りの下側部分を角部保護部材に兼用できるようにした。
【０００７】
具体的には、請求項１の発明では、戸パネルの梱包材は、戸パネルを幅方向左右両側からそれぞれ高さ方向の全体に亘るように覆う左右の保護部材からなり、それら左右の保護部材の所定高さ位置には、該各保護部材を上下に分離可能な裁断補助線が形成されており、この裁断補助線に沿って各保護部材を上下に裁断して上側部分を除去することにより、下側部分がそれぞれ戸パネルの下端左右角部を保護する角部保護部材となるようにしたことを特徴とする。
【０００８】
この請求項１の発明では、戸パネルは、その幅方向左右両側からそれぞれ梱包材における左右の保護部材により覆われて梱包され出荷される。そして、各保護部材の所定高さ位置には、各保護部材を上下に分離可能な裁断補助線が形成されているので、戸パネルの施工現場では、その裁断補助線に沿って各保護部材を上下に裁断し、下側部分を残して上側部分を除去すると、その残りの下側部分はそれぞれ戸パネルの下端左右角部を保護する角部保護部材となり、その状態で戸パネルが施工される。このように、梱包材は、戸パネルを幅方向左右両側からそれぞれ覆う左右の保護部材からなるので、戸パネルを梱包する際の手間は少ない。また、保護部材を裁断して上側部分を除去した残りの下側部分がそのまま角部保護部材となるので、左右の保護部材の一部を角部保護部材として兼用・再利用することができ、角部保護部材を別に用意する必要がなく、梱包用途の後の廃材が少なくて済み、コストを下げることができる。
【０００９】
請求項２の発明では、上記裁断補助線は、左右の保護部材を裁断して上側部分を除去した跡に戸パネルの金具取付部（金具取付箇所）が露出する位置に設けられているものとする。
【００１０】
この請求項２の発明では、左右の保護部材を裁断補助線で裁断して上側部分を除去したときに金具取付部が露出するため、角部保護部材を付けたまま戸パネルに蝶番や取手等の金具の取付け、戸パネルの枠体への施工が可能となる。
【００１１】
また、左右の保護部材の裁断後の下側部分からなる角部保護部材を付けたまま戸パネルを枠体に施工しても、その施工後に角部保護部材を取り外す際に周囲の部分と干渉することなく横方向に引き抜くことができるようになり、その取外しを簡単に行うことができる。
【００１２】
請求項３の発明では、上記裁断補助線の端部（裁断始め部分）に保護部材の裁断を助勢する裁断補助加工部が設けられている。
【００１３】
この請求項３の発明では、保護部材を裁断する際、裁断線端部の裁断補助加工部から裁断を行うことにより、裁断補助線以外の別の部分で誤って裁断してしまうことを防ぐことができる。
【００１４】
請求項４の発明では、左右の保護部材は、少なくとも裁断補助線よりも下側部分（角部保護部材となる部分）でバンドにより戸パネルに固定されていることを特徴とする。
【００１５】
この請求項４の発明では、保護部材のうち裁断補助線よりも下側部分がバンドで戸パネルに固定されているため、その下側部分の固定による裁断補助線での裁断が容易となるとともに、裁断後にバンドが、そのまま角部保護部材を戸パネルに固定するための固定手段となる。
【００１６】
また、角部保護部材を付けたまま施工する場合、施工後に角部保護部材を取り外す際にバンドをカットするだけでよく、角部保護部材を簡単に取り外すことができる。
【発明の効果】
【００１７】
以上説明した如く、請求項１の発明によると、戸パネルの梱包材を、戸パネルを幅方向左右両側からそれぞれ覆う左右の保護部材で構成するとともに、その所定高さ位置に裁断補助線を形成し、その裁断補助線に沿って各保護部材を上下に裁断して上側部分を除去したときに下側部分がそれぞれ戸パネルの下端左右角部を保護する角部保護部材となるようにしたことにより、戸パネルの梱包の手間を少なくしてその容易化を図ることができるとともに、左右の保護部材の下部を角部保護部材として兼用・再利用でき、梱包後の廃材の低減及びコストダウンを図ることができる。
【００１８】
請求項２の発明によると、裁断補助線を、左右の保護部材を裁断して上側部分を除去した跡に戸パネルの金具取付部が露出する位置に設けたことにより、角部保護部材を付けたまま戸パネルへの蝶番や取手等の金具の取付け、戸パネルの枠体への施工を行うことができるとともに、戸パネルの枠体への施工後に角部保護部材を横方向に引き抜いて取り外して、その取外しを簡単に行うことができる。
【００１９】
請求項３の発明によると、裁断補助線の端部（裁断始め部分）に保護部材の裁断を助勢する裁断補助加工部を設けたことにより、裁断補助線以外の別の部分からの裁断を防止することができる。
【００２０】
請求項４の発明によれば、左右の保護部材を、少なくとも裁断補助線よりも下側部分でバンドにより戸パネルに固定したことにより、裁断補助線での裁断を容易に行うことができるとともに、裁断後にバンドを角部保護部材の戸パネルへの、簡単に取り外すことのできる固定手段とすることができる。
【発明を実施するための最良の形態】
【００２１】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００２２】
図１は本発明の実施形態に係る戸パネル用梱包材Ａにより戸パネルＢを梱包した状態を示し、この梱包材Ａは、戸パネルＢをその幅方向左側部から高さ方向の全体に亘るように覆う左側保護部材１Ｌと、戸パネルＢを幅方向右側部から高さ方向の全体に亘るように覆う右側保護部材１Ｒとからなる。図２及び図４に示すように、戸パネルＢの例えば右端面には、戸パネルＢを枠体Ｃに施工する際に蝶番Ｄを取り付けるための例えば上下２つの蝶番取付部１０，１０が、また左端の上下略中央部には取手（図示せず）を取り付けるための取手取付部１１がそれぞれ形成され、これらはいずれも金具取付部（金具取付箇所）を構成している。尚、上記戸パネルＢは、図示しないが例えばビニール樹脂等のカバーに封入されて全体を覆われており、このカバーの上から戸パネルＢを保護部材１Ｌ，１Ｒが覆っている。
【００２３】
上記左右の保護部材１Ｌ，１Ｒは、いずれも一端に開口する互いに同じ大きさの薄型の矩形箱状のものであり、各々の内部の高さは戸パネルＢの高さよりも少し大きく、内部の幅は戸パネルＢの厚さよりも少し大きく設定されている。そして、左側保護部材１Ｌは右側に開口していて、その内部に開口部から戸パネルＢの幅方向左側部が幅方向全体の例えば１／３だけ嵌合された状態でその左側部を覆っている。一方、右側保護部材１Ｒは左側に開口していて、その内部に開口部から戸パネルＢの幅方向右側部が幅方向全体の例えば１／３だけ嵌合された状態でその右側部を覆っている。この各保護部材１Ｌ，１Ｒの材料としては、通常戸パネルＢの梱包に使用されるダンボール等が用いられている。
【００２４】
そして、上記戸パネルＢには、左右の保護部材１Ｌ，１Ｒの上から上下３本のエンドレスのバンド８ａ〜８ｃが間隔をあけてループ状に巻き付けられており、これらのバンド８ａ〜８ｃによって左右の保護部材１Ｌ，１Ｒが戸パネルＢに固定されている。この各バンド８ａ〜８ｃには、一般に梱包に用いられるＰＰバンド（ポリプロピレンバンド）やポリエステルバンド等の樹脂製バンドを用いることができ、特にＰＰバンドは締付機等により固定が容易で好ましい。各バンド８ａ〜８ｃとしては、その他、左右の保護部材１Ｌ，１Ｒを戸パネルＢに固定できかつ施工現場でカッターナイフ等により簡単に切断可能なものであれば、別のバンド（紐状物）を用いてもよい。
【００２５】
上記左右の各保護部材１Ｌ，１Ｒには、互いに同じ高さの下端寄り位置に、各保護部材１Ｌ，１Ｒを上下に分離可能な水平方向に延びる直線状の裁断補助線５が保護部材１Ｌ，１Ｒの開口の一端から底壁部を経て他端に至るように全体に亘り形成されており、図２に示すように、この裁断補助線５に沿って各保護部材１Ｌ，１Ｒを上下に裁断して上側部分２を除去することにより、下側部分３，３がそれぞれ戸パネルＢの下端左右角部を保護する角部保護部材４Ｌ，４Ｒとなるようにしている。
【００２６】
上記裁断補助線５は、ミシン目のように連続した穿孔、型押しされた溝部、保護部材１Ｌ，１Ｒに埋め込まれて引き剥がしにより保護部材１Ｌ，１Ｒを裁断分離可能なテープ等からなる。そのうち別途に裁断具を用いることなく手で簡単に裁断できる点で、穿孔やテープが好ましい。
【００２７】
上記裁断補助線５の高さ位置は限定されるものではないが、図２に示すように、この裁断補助線５で保護部材１Ｌ，１Ｒを上下に裁断して上側部分２を除去した跡に戸パネルＢの上記蝶番取付部１０，１０や取手取付部１１が露出する位置に設けられていることが好ましい。
【００２８】
さらに、上記裁断補助線５の一端部（開口部の一端）又は両端部（開口部の両端）には裁断補助加工部６が設けられている。この裁断補助加工部６は、裁断補助線５で保護部材１Ｌ，１Ｒを裁断する際にその裁断始め部分において裁断を助勢するためのものであり、例えば図３（ａ）に拡大して示すように、裁断補助線５の端部に連続して裁断補助線５と同様の２本の孔部やテープを開口端に向かって拡開するように直線状に形成することで、略三角形状に設けられている。裁断補助加工部６は、この他、例えば図３（ｂ）に示すように、２本の孔部やテープを開口端に向かって拡開するように円弧状に形成することで、半円形状や半楕円形状に設けられているものでもよい。そして、各保護部材１Ｌ，１Ｒの裁断に先立ち、この裁断補助加工部６を取り除いておくことにより、裁断の際に裁断補助線５以外の別の部分で誤って裁断してしまうことを防ぐようにしている。
【００２９】
そして、上記３本のバンド８ａ〜８ｃのうち少なくとも１本（最下段）のバンド８ｃは、上記裁断補助線５よりも下側に位置しており、このことで、左右の保護部材１Ｌ，１Ｒは、裁断補助線５よりも下側部分３（上記角部保護部材４Ｌ，４Ｒとなる部分）でバンド８ｃにより戸パネルＢに固定されている。
【００３０】
したがって、この実施形態においては、戸パネルＢを梱包材Ａにより梱包して出荷する場合、図１に示すように、カバーに封入された戸パネルＢの幅方向左側部が左側保護部材１Ｌにより、また幅方向右側部が右側保護部材１Ｒによりそれぞれ覆われ、これら保護部材１Ｌ，１Ｒ間に上下３本のバンド８ａ〜８ｃが掛けられて保護部材１Ｌ，１Ｒが戸パネルＢに固定された状態で出荷される。
【００３１】
そして、戸パネルＢの施工現場では、図２に示すように、上側及び中央のバンド８ａ，８ｂが切断されて外されるとともに、各保護部材１Ｌ，１Ｒの下端寄りの高さ位置に形成されている裁断補助線５に沿って各保護部材１Ｌ，１Ｒが上下に裁断され、その裁断後の下側部分３が下側のバンド８ｃと共に残され、上側部分２のみが除去される。この状態では、保護部材１Ｌ，１Ｒの下側部分３，３がそれぞれ戸パネルＢの下端左右角部を保護する角部保護部材４Ｌ，４Ｒとして残る。この状態で、図４に示すように、例えば戸パネルＢの蝶番取付部１０，１０にそれぞれ蝶番Ｄ，Ｄが取り付けられて、その蝶番Ｄ，Ｄを介して戸パネルＢが枠体Ｃに取付固定されて施工される。
【００３２】
そのとき、上記裁断補助線５の端部に裁断補助加工部６が形成されているので、保護部材１Ｌ，１Ｒを裁断する際には、この裁断補助加工部６から裁断補助線５の裁断を開始することで、裁断補助線５以外の別の部分で誤って裁断してしまうのを防ぐことができ、その裁断補助線５に沿った裁断を確実に実行することができる。
【００３３】
そして、このように、梱包材Ａが、戸パネルＢの幅方向左右両側をそれぞれ覆う左右の保護部材１Ｌ，１Ｒからなるので、それら保護部材１Ｌ，１Ｒで戸パネルＢの幅方向左右両側を覆い、その上からバンド８ａ〜８ｃを掛けるだけでよく、戸パネルＢを梱包する手間が少なくて容易に梱包することができる。
【００３４】
また、保護部材１Ｌ，１Ｒを裁断して上側部分２を除去した残りの下側部分３が角部保護部材４Ｌ，４Ｒとなるので、左右の保護部材１Ｌ，１Ｒの一部を角部保護部材４Ｌ，４Ｒとして兼用・再利用することができ、角部保護部材を別に用意する必要がなくなる。しかも、梱包用途の後の廃材が少なくて済み、コストも少なくなる。
【００３５】
また、上記裁断補助線５の位置は、戸パネルＢの蝶番取付部１０，１０及び取手取付部１１よりも下側である、各保護部材１Ｌ，１Ｒの下端寄りであり、その裁断補助線５で保護部材１Ｌ，１Ｒを裁断して上側部分２を除去した跡に上記戸パネルＢの取付部１０，１１が露出するので、裁断補助線５下側の角部保護部材４Ｌ，４Ｒを戸パネルＢに付けたまま、その露出した取付部１０，１１に蝶番Ｄや取手等の金具を取り付けてそのまま戸パネルＢの枠体Ｃへの施工を行うことができる。
【００３６】
しかも、左右の保護部材１Ｌ，１Ｒの裁断後の下側部分３からなる角部保護部材４Ｌ，４Ｒを付けたまま戸パネルＢを枠体Ｃに施工しても、その施工後に最下段のバンド８ｃを切断除去し、角部保護部材４Ｌ，４Ｒを横方向（図４の矢印方向）に引き抜いて取り外すことができ、その取外しを容易かつ簡単に行うことができる。
【００３７】
また、最下段のバンド８ｃが裁断補助線５よりも下側に位置していて、裁断後に角部保護部材４Ｌ，４Ｒとなる下側部分３，３が最下段のバンド８ｃによって戸パネルＢに固定されているので、この下側部分３，３の固定により裁断補助線５での裁断が容易となるとともに、裁断後もそのままバンド８ｃにより角部保護部材４Ｌ，４Ｒが戸パネルＢに固定され、角部保護部材４Ｌ，４Ｒを固定するための固定手段が別途に不要となる。このため、裁断補助線５で裁断した後に特に固定作業を行わなくとも角部保護部材４Ｌ，４Ｒはバンド８ｃにより戸パネルＢに固定されたままの状態に保たれる。
【００３８】
また、角部保護部材４Ｌ，４Ｒを付けたまま施工した場合にも、その施工後に不要になった角部保護部材４Ｌ，４Ｒを取り外す際には、バンド８ｃをカットして除去するだけで角部保護部材４Ｌ，４Ｒを簡単に取り外すことができる。
【００３９】
（その他の実施形態）
尚、上記実施形態では、左右の保護部材１Ｌ，１Ｒは戸パネルＢを幅方向の左右両側から全体の１／３程度だけ覆うようにしているが、１／３よりも少なくても或いは逆に多くてもよく、戸パネルＢをその幅方向左右側部から覆うものであればよい。
【００４０】
また、上記実施形態では、裁断補助線５の高さ位置が左右の保護部材１Ｌ，１Ｒで同じであるが、互いに異ならせてもよい。また、裁断補助線５は水平方向に延びる直線状のものでなくてもよく、各保護部材１Ｌ，１Ｒを上下に分離可能であればよい。
【産業上の利用可能性】
【００４１】
本発明は、戸パネルの梱包の容易化、廃材量の低減、コストダウンが図れる点で極めて有用であり、産業上の利用可能性が高い。
【図面の簡単な説明】
【００４２】
【図１】図１は、本発明の実施形態に係る梱包材を用いて戸パネルを梱包した状態を示す斜視図である。
【図２】図２は、保護部材を裁断補助線で裁断して角部保護部材を形成した状態を示す斜視図である。
【図３】図３は、裁断補助加工部を拡大して示す正面図である。
【図４】図４は、角部保護部材を付けたまま戸パネルを施工する状態を示す斜視図である。
【符号の説明】
【００４３】
Ａ  戸パネル用梱包材
Ｂ  戸パネル
Ｃ  枠体
１Ｌ，１Ｒ  保護部材
２  上側部分
３  下側部分
４Ｌ，４Ｒ  角部保護部材
５  裁断補助線
６  裁断補助加工部
８ａ〜８ｃ  バンド
１０  蝶番取付部（金具取付部）
１１  取手取付部（金具取付部）
【図１】
2009120220.tif 000003
【図２】
2009120220.tif 000004
【図３】
2009120220.tif 000005
【図４】
2009120220.tif 000006